(57)【要約】      （修正有）【課題】設置場所を選ばず簡単に設置でき、設置後も容易に移動可能なコルゲート管コテージを提供する。【解決手段】コルゲート管を利用する移動可能住居としてのコルゲート管コテージであって、コルゲート管１１の両端の開口側においてコルゲート管の内径に対してコルゲート管の溝部１５に沿って収容された可撓性木材から成る下地部材２０と、コルゲート管の少なくとも一方の開口側において水平位置に架設される水平枠体３０と、コルゲート管の少なくとも一方の開口側において鉛直位置に架設される鉛直枠体４１、４２と、コルゲート管の外側においてコルゲート管外周を地面に固定するための複数の係止部材とを備える。【選択図】図１
0003234196.tif 000002
【実用新案登録請求の範囲】
【請求項１】
コルゲート管を利用する移動可能住居であって、
前記コルゲート管の両端の開口側において前記コルゲート管の内径に対して前記コルゲート管の溝部に沿って収容された可撓性木材から成る下地部材と、
前記コルゲート管の少なくとも一方の開口側において水平位置に架設される水平枠体と、
前記コルゲート管の少なくとも一方の開口側において鉛直位置に架設される鉛直枠体と、
前記コルゲート管の外側においてコルゲート管外周を地面に固定するための複数の係止部材と、
を具備することを特徴とするコルゲート管コテージ。
【請求項２】
前記下地部材は前記コルゲート管の溝部に接着剤を介して固定される請求項１に記載のコルゲート管コテージ。
【請求項３】
前記下地部材は複数の可撓性木材の積層体から成る請求項１又は請求項２に記載のコルゲート管コテージ。
【請求項４】
前記水平枠体は前記下地部材間に架設される請求項１ないし請求項３のいずれかに記載のコルゲート管コテージ。
【請求項５】
前記鉛直枠体は前記下地部材間に架設される請求項１ないし請求項３のいずれかに記載のコルゲート管コテージ。
【請求項６】
前記下地部材に対して固定する複数の連結平板を前記コルゲート管内周位置に備え、前記開口側を塞ぐ蓋板を前記連結平板の側面に固定する請求項１ないし請求項５のいずれかに記載のコルゲート管コテージ。
【請求項７】
前記コルゲート管は、円弧状の複数のコルゲート片を連結して成る請求項１ないし請求項６のいずれかに記載のコルゲート管コテージ。
【請求項８】
前記係止部材は、コルゲート管外周四隅に設置された請求項１ないし請求項７のいずれかに記載のコルゲート管コテージ。
【請求項９】
前記係止部材は、コルゲート管外周に沿った湾曲部を備え、コルゲートの波状部に嵌合する凸部又は凹部を備えてなる請求項１ないし請求項８のいずれかに記載のコルゲート管コテージ。
【請求項１０】
前記コルゲート管の直径が２ｍ〜３ｍである請求項１ないし請求項９のいずれかに記載のコルゲート管コテージ。
【請求項１１】
前記コルゲート管の軸方向の長さが２ｍ〜３ｍである請求項１０に記載のコルゲート管コテージ。
【請求項１２】
コルゲート管を利用する移動可能住居の回転移動を係止させる係止部材であって、
前記コルゲート管の外周に沿った傾斜部と、
前記傾斜部に前記コルゲート管の波状部に嵌合する凸部又は凹部と、
を備えたことを特徴とする係止部材。
【考案の詳細な説明】
【技術分野】
【０００１】
本考案はコルゲート管を用いた簡易な住居設備（コテージ）に関し、所望位置に設置するに際して簡単に移動して固定できる移動可能なコルゲート管コテージ及び設置に際して使用する係止部材に関する。
【背景技術】
【０００２】
コルゲート管は、波付けを施して作られた半円形や円弧形の薄鋼板（コルゲート波付け鋼板）を組み合わせることで管状に形成されたもので、軽量で強度が高く、取扱いや運搬が容易である等の特徴を有している。
【０００３】
コルゲート管を用いた住居としては、例えば１９６０年代に建築家川合健二氏が提唱したモデルが存在する。このモデルは、非特許文献１に示されるように、大径の楕円形コルゲート管を使用し、地面に固定することで建築物の外壁をコルゲート管とする大掛かりな構造のものである。
【０００４】
コルゲート管を用いた移動式建物としては、特許文献１に示されるように、コルゲート管の下方に車輪を装着したものが提案されている。
【０００５】
また、コルゲート波付け鋼板は耐久性や取り扱いのし易さ等から建築資材として注目されつつあり、小規模住宅に適用した例としては、例えば非特許文献２に示されるように、種々形状の構造が提案されている。
【先行技術文献】
【特許文献】
【０００６】
【特許文献１】実開昭６０−１３８９０３
【非特許文献】
【０００７】
【非特許文献１】https://www.acetate-ed.net/bookdata/008/008.html
【非特許文献２】http://www.nakamitu.com/coruhouse.html
【考案の概要】
【考案が解決しようとする課題】
【０００８】
近年、災害時などに簡易宿泊所を設営することが行われるが、地面に固定する建築物であると、建築基準法に準拠する申請作業や設置場所等に制限を受ける場合があり、建築確認や設営に時間がかかるという問題点があった。
【０００９】
また、キャンプ場などにおいては、自前のテントを持たないユーザーに対してキャンプ場内に固定されたトレーラーハウスを提供することが行われているが、設置場所が固定されており、大掛かりな作業を行うことなく例えば季節などに応じて設置場所を変更するようなことはできなかった。
【００１０】
特許文献１にはコルゲート管を用いた移動式建物が開示されるが、車輪を用いた大掛かりな構造であり、人手によって移動可能な簡易なものではなく、簡易構造の住居用コテージとして適した構成を開示するものではなかった。
【００１１】
本考案は上記実情に鑑みて提案されたもので、設置場所を選ばず簡単に設置でき、設置後も容易に移動可能な簡易な構造のコルゲート管コテージを提供することを目的としている。
【課題を解決するための手段】
【００１２】
上記目的を達成するために本考案（請求項１）は、コルゲート管を利用する移動可能住居としてのコルゲート管コテージであって、次の各構成を備えることを特徴としている。
前記コルゲート管（１１）の両端の開口側において前記コルゲート管の内径に対して前記コルゲート管の溝部（１５）に沿って収容された可撓性木材から成る下地部材（２０）。
前記コルゲート管の少なくとも一方の開口側において水平位置に架設される水平枠体（３０）。
前記コルゲート管の少なくとも一方の開口側において鉛直位置に架設される鉛直枠体（４１,４２）。
前記コルゲート管の外側においてコルゲート管外周を地面に固定するための複数の係止部材（７０）。
【００１３】
請求項２は、請求項１に記載のコルゲート管コテージにおいて、
前記下地部材（２０）は前記コルゲート管（１１）の溝部（１５）に接着剤（１６）を介して固定されることを特徴としている。
【００１４】
請求項３は、請求項１又は請求項２に記載のコルゲート管コテージにおいて、
前記下地部材（２０）は複数の可撓性木材（２０ａ）の積層体から成ることを特徴としている。
【００１５】
請求項４は、請求項１ないし請求項３のいずれかにのコルゲート管コテージにおいて、
前記水平枠体（３０）は前記下地部材（２０）間に架設されることを特徴としている。
【００１６】
請求項５は、請求項１ないし請求項３のいずれかにのコルゲート管コテージにおいて、
前記鉛直枠体（４１,４２）は前記下地部材（２０）間に架設されることを特徴としている。
【００１７】
請求項６は、請求項１ないし請求項５のいずれかに記載のコルゲート管コテージにおいて、
前記下地部材（２０）に対して固定する複数の連結平板（２５）を前記コルゲート管内周位置に備え、前記開口側を塞ぐ側面板（６０）を前記連結平板（２５）の側面に固定することを特徴としている。
【００１８】
請求項７は、請求項１ないし請求項６のいずれかに記載のコルゲート管コテージにおいて、
前記コルゲート管（１１）は、円弧状の複数のコルゲート片（１〜１０）を連結して成ることを特徴としている。
【００１９】
請求項８は、請求項１ないし請求項７のいずれかに記載のコルゲート管コテージにおいて、
前記係止部材（７０）は、コルゲート管外周四隅に設置されたことを特徴としている。
【００２０】
請求項９は、請求項１ないし請求項８のいずれかに記載のコルゲート管コテージにおいて、
前記係止部材（７０）は、コルゲート管外周に沿った傾斜部（７３）を備え、コルゲート管（１１）の波状部に嵌合する凸部又は凹部を備えてなることを特徴としている。
【００２１】
請求項１０は、請求項１ないし請求項９のいずれかに記載のコルゲート管コテージにおいて、
前記コルゲート管（１１）の直径が２ｍ〜３ｍであることを特徴としている。
【００２２】
請求項１１は、請求項１０のコルゲート管コテージにおいて、
前記コルゲート管（１１）の軸方向の長さが２ｍ〜３ｍであることを特徴としている。
【００２３】
請求項１２は、コルゲート管（１１）を利用する移動可能住居の回転移動を係止させる係止部材であって、
前記コルゲート管の外周に沿った傾斜部（７３）と、
前記傾斜部（７３）に前記コルゲート管（１１）の波状部に嵌合する凸部又は凹部と、
を備えたことを特徴としている。
【考案の効果】
【００２４】
本考案のコルゲート管コテージによれば、複数の係止部材（７０）をコルゲート管外周に当接させることで、回転可能なコルゲート管（１１）を地面に対して所望位置に固定させることができる。
【００２５】
また、コルゲート管（１１）の内径に対してコルゲート管の溝部（１５）に沿って収容する下地部材（２０）を備えることで、コルゲート管（１１）の両端の開口側において水平枠体（３０）や鉛直枠体（４１,４２）、側面体（６０）を設置することを可能とし、コルゲート管（１１）両端の開口に対して側面板（６０）を配置することでコルゲート管内部を居住空間として利用することができる。
【００２６】
下地部材（２０）はコルゲート管（１１）の溝部（１５）に接着剤を介して固定されることで、コルゲート管（１１）を加工することなく下地部材（２０）を固定できる。
【００２７】
また、下地部材（２０）を可撓性木材で構成することで、特別な加工を施すことなくコルゲート管（１１）の溝部（１５）に沿って配置させることができる。
【００２８】
下地部材（２０）に対して固定する複数の連結平板（２５）をコルゲート管内周位置に備えることで、前記開口側を塞ぐ側面板（６０）を前記連結平板（２５）の側面に固定することを特徴としている。
【００２９】
円弧状の複数のコルゲート片（１〜１０）を連結してコルゲート管（１１）とすることで、運搬が容易になるとともに、設置場所での組み立てを可能とすることができる。
【００３０】
係止部材（７０）をコルゲート管外周四隅に設置させることで、地面への固定を確実に行うことができる。
【００３１】
係止部材（７０）の傾斜部（７３）に形成した凸部又は凹部にコルゲート管（１１）の波状部が嵌合することで、コルゲート管の軸方向の移動や揺れを抑えることができる。
【００３２】
コルゲート管（１１）の直径を２ｍ〜３ｍとすることで、人手で移動できる大きさとすることができる。
【００３３】
コルゲート管（１１）の軸方向の長さを直径と同じ２ｍ〜３ｍとすることで、外部要因に対する設置の安定性を図ることができる。
【００３４】
コルゲート管（１１）の固定する係止部材について、コルゲート管の外周に沿った傾斜部（７３）と、傾斜部（７３）にコルゲート管の波状溝に嵌合する凸部又は凹部を設けることで、回転方向への移動及びコルゲート管（１１）の軸方向への揺れや移動を防止することができる。
【図面の簡単な説明】
【００３５】
【図１】本考案の一実施形態に係るコルゲート管コテージ（側面板を除いた状態）の斜視説明図である。
【図２】図１のコルゲート管におけるＡ部分（コルゲート片の連結状態）の拡大斜視説明図である。
【図３】コルゲート管の正面、側面、背面説明図である。
【図４】コルゲート管を構成する２種類のコルゲート片の平面説明図である。
【図５】コルゲート片同士の連結状態を説明するための構造説明図である。
【図６】コルゲート管コテージ（側面板を除いた状態）の扉側の側面説明図である。
【図７Ａ】下地部材を構成する曲げ合板の変形前の側面説明図である。
【図７Ｂ】下地部材を構成する曲げ合板の変形後の側面説明図である。
【図７Ｃ】下地部材のコルゲート管への固定状態を示す一部断面説明図である。
【図７Ｄ】他例の下地部材におけるコルゲート管への固定状態を示す一部断面説明図である。
【図８】コルゲート管コテージの扉側の側面説明図である。
【図９】コルゲート管コテージ（側面板を除いた状態）の中央窓側の側面説明図である。
【図１０】コルゲート管コテージの中央窓側の側面説明図である。
【図１１】コルゲート管コテージの設置のための係止部材の斜視説明図である。
【考案を実施するための形態】
【００３６】
本考案に係る移動可能なコルゲート管コテージの実施形態の一例について、図面を参照しながら説明する。
コルゲート管コテージは、転がすことが可能なコルゲート管１１（図１）を利用することで移動可能とし、コルゲート管１１の四隅に配置された係止部材７０（図６、図８〜図１１）により地面に固定するようになっている（図１のコルゲート管１１の斜視図では係止部材７０の記載を省略している）。
設置するに際しては、コルゲート管１１を人手により回転させながら設置個所まで移動し、係止部材７０の傾斜面７３にコルゲート管１１の外周が当接するように係止部材７０を四隅に配置させることで回転が規制される。
【００３７】
コルゲート管１１は、図２及び図３に示すように、円弧状前側上面部１、円弧状中側上面部２、円弧状後側上面部３、円弧状前側下面部４、円弧状中側下面部５、円弧状後側下面部６、円弧状前側右側面部７、円弧状後側右側面部８、円弧状前側左側面部９、円弧状後側左側面部１０の合計１０枚の厚さ２．７ｍｍのコルゲート片の重なり部位を複数のボルト１２等（図１及び図２）で連結することで直径２５０ｃｍ、奥行き２５０ｃｍの円筒状に形成して構成されている。
図３は中央にコルゲート管１１の側面図、左側に正面図、右側に背面図をそれぞれ示している。
【００３８】
コルゲート管１１を構成するコルゲート片は３種類を使用する。すなわち、幅をＷ,奥行Ｄを１２０ｃｍとしたコルゲート片２,５（図４の左側に示す）、高さをＨ,奥行Ｄを１２０ｃｍとしたコルゲート片７,８,９，１０（図４の右側に示す）、幅をＷ,奥行Ｄを６０ｃｍとしたコルゲート片１,３,４,６（図４の左側に示すコルゲート片に対して奥行きが半分の値）の３種類を図３のように配置してコルゲート管１１を構成している。図４における幅Ｗ、高さＨ及び奥行きＤは、図３の幅Ｗ、高さＨ及び奥行きＤに対応している。
【００３９】
コルゲート片同士は、図５に示すように、例えば重ね合わせたコルゲート片１とコルゲート片７のコルゲート片１の内側山に対しては、フランジ下面が山状となるボルト１２a、コルゲート谷側に凸状となる弧状ワッシャー１３、コルゲート山に嵌合する凹部を備えた平板ワッシャー１４ａ及びナット１５で締結する。重ね合わせたコルゲート片１とコルゲート片７のコルゲート片１の内側谷に対しては、フランジ下面が谷状となるボルト１２ｂ、コルゲート山側に凹状となる弧状ワッシャー１３、コルゲート谷に嵌合する凸部を備えた平板ワッシャー１４ｂ及びナット１５で締結する。
また、上面（コルゲート片１，２，３）及び下面（コルゲート片４，５，６）の各３枚に対して、左側面（コルゲート片９，１０）及び右側面（コルゲート片７，８）を各２枚とすることで互い違いに連結（図３の中央の側面図を参照）して強度の強化を図っている。
【００４０】
コルゲート管１１の両端の開口側においては、コルゲート管の内径に対してコルゲート管１１の溝部１５に沿って後述する木製部材（連結平板）の下地となる複数（図６の例では４枚）の下地部材２０が内部を囲むように収容されている。下地部材２０は、図７Ａに示すように、細長い長方形状シートから構成され、少なくとも長手方向に可撓性を有する曲げ合板（可撓性木材）２０ａを使用する。コルゲート管１１の直径の４分の１の長さＬ、幅９０ｍｍ、厚さ１２ｍｍを有する曲げ合板２０ａを、図７Ｂに示すように、円弧状に変形させることで、コルゲート管１１の溝部１５に沿って収容することが可能となる。下地部材２０は、図７Ｃに示すように、曲げ合板２０ａを３枚重ねで接着して配置された積層体で構成され、コルゲート管１１との接触箇所で接着剤１６を介して溝部１５に固定されている。
【００４１】
また、下地部材２０は、図７Ｄに示すように、曲げ合板２０ａより幅狭の曲げ合板２０ｂをコルゲート管１１側に配置するようにしてもよい。この場合、接着剤１６によるコルゲート管１１に対する下地部材２０の固定箇所を多くすることができ、下地部材２０のコルゲート管１１への固定をより強固にすることができる。
そして、コルゲート管１１の溝部１５に沿って収容する下地部材２０を備えることで、コルゲート管１１の両端の開口側において後述する水平枠体３０や鉛直枠体４１,４２を固定可能としている。
曲げ合板２０ａは１枚であると厚さ１２ｍｍであるが、３枚重ねの積層体で下地部材２０を構成することで、水平枠体３０や鉛直枠体４１,４２をねじ止めするに際して十分な板厚を確保することができる。
【００４２】
曲げ合板２０ａは、複数の薄い木材シートを積層することでフレキシブルに曲げることが可能な木材（可撓性木材）を使用する。可撓性木材は、従前より家具の製作などに使用されるものであり、コルゲート管１１の溝部１５に収納可能な幅に切断した長尺体シートを使用する。
コルゲート管１１の両側端の開口側の下方に位置する下地部材２０上には、木材を組み合わせて下面が略円弧面となる下端部材２１がそれぞれ載置されている。
【００４３】
コルゲート管１１の両側端の開口側の下地部材２０間には、図１及び図６に示すように、その水平位置に１本の水平枠体３０が架設されている。
コルゲート管１１の両側端の開口側の上方に位置する下地部材２０の中央部と水平枠体３０との間に1本の中央枠体４０が、水平枠体３０と円弧片２１との間には２本の縦枠体４１，４１がそれぞれ架設されることで、水平枠体３０と２本の縦枠体４１，４１とで囲まれた部分にコルゲート管内部に出入りするための入口開口部５１が形成されている。
【００４４】
水平枠体３０において、２本の縦枠体４１の固定位置と反対側には、上方の下地部材２０との間に上部縦枠体４２，４２がそれぞれ架設され、上部縦枠体４２及び縦枠体４１でコルゲート管端において鉛直位置に架設される鉛直枠体が構成されている。
【００４５】
入口開口部５１の左右側方位置において、縦枠体４１と下地部材２０との間に横枠体３１及び横板３２がそれぞれ架設され、横枠体３１と横板３２間に方形状の窓枠体５２がそれぞれ固定されている。
【００４６】
コルゲート管１１内周位置に配置された複数の下地部材２０に対しては、複数の連結平板２５が接着剤により固定されている（図１参照、図６では省略）。下地となる下地部材２０に対してある程度の厚さを有する連結平板２５を固定することで、連結平板２５の側面（厚さ部分）に後述する側面体６０などの平板（蓋体）を固定し易くすることができる。
【００４７】
コルゲート管１１の一側端の開口側は、図８に示すように、入口開口部５１及び窓枠体５２の窓部を除いて開口側を塞ぐ側面板６０を装着する。側面板６０は、水平枠体３０、横枠体３１、中央枠体４０、鉛直枠体（縦枠体４１及び上部縦枠体４２）、連結平板２５の側面にねじ止め等を行うことで固定される。
側面板６０は、コルゲート管１１の内周近くで連結板２５の側面（厚さ部分）に固定されるため、側面板６０をその周囲において確実に固定することができる。
入口開口部５１には扉６１が、窓枠部５２には窓６２がそれぞれ設置される。
【００４８】
コルゲート管１１内部において、コルゲート管端に設置した円弧片２１間に長方形状の床板２３が設置され、入口開口部側から見て床板２３の両側位置に長尺状ベンチ２４がそれぞれ設置されている。ベンチ２４は、例えばコルゲート管１１の内部側の溝部１５に装着された下地部材２０に複数の脚（図示せず）を立設し、その上部に固定されている。
【００４９】
コルゲート管１１の他端端の開口側は、図９及び図１０に示すように、一側端の開口側とほぼ同様に構成されているが、扉６１の代わりに中央窓６３が配置されている。すなわち、扉側と比較して水平枠体３０の位置をコルゲート管１１の低い位置に設置するとともに、開口部５１内に下部水平枠体３３と下部縦枠体４３を設置することで、２本の縦枠体４１と水平枠体３０及び下部水平枠体３３とで囲まれた部位に中央窓６３を設置している。
図９及び図１０において、図６及び図８と同様の構成を採る部分については同一符号を付している。
【００５０】
コルゲート管１１は、コルゲート管外周四隅に設置された楔状の係止部材７０（図１１）により、転がりを防止してコルゲート管１１の外周を地面に固定するようになっている。
楔状の係止部材７０は、凸部７１と凹部７２が連続しコルゲート管外周に沿った傾斜面７３を備えている。傾斜面７３の凹凸面がコルゲート管１１の外周に当接することでコルゲート管１１の回転を防止する。
また、傾斜面７３にコルゲート片の波状溝に嵌合する凸部（若しくは、波状突起が嵌合する凹部）を備えるように構成してもよい。凸部（凹部）がコルゲート管１１の波状部（波状溝又は波状突起）に嵌合することでコルゲート管１１の軸方向の揺れを防止することができる。
傾斜面７３は、コルゲート管１１の外周に沿った円弧面で構成しても良い。
【００５１】
コルゲート管１１の直径は２ｍ〜３ｍ（上記の例では２．５ｍ）とすることで、内部に人が立って歩ける居住空間を確保することができるともに、人手で回転移動可能な大きさとすることができる。
また、コルゲート管１１の軸方向の長さを直径と同等の２ｍ〜３ｍ（上記の例では２．５ｍ）とすることで、風などの外部要因に対して安定させることができる。
【００５２】
上述の例では、コルゲート管１１の四隅に係止部材７０を配置させるようにしたが、３ケ所（一方側が両端位置、他方側が中央位置）に係止部材７０を配置させることでコルゲート管１１を固定してもよい。
【００５３】
上述した例では、コルゲート管１１の入口開口部５１の反対側の側面に窓６２及び中央窓６３を設置したが、側面全体を側面板６０で塞ぐ構造であっても良い。
【符号の説明】
【００５４】
１〜１０    コルゲート片
１１    コルゲート管
１２    ボルト
１３    ワッシャー
１４    ナット
１５    溝部
１６    接着剤
２０    下地部材
２０ａ  曲げ合板（可撓性木材）
２０ｂ  曲げ合板（可撓性木材）
２１    下端部材
２３    床板
２４    ベンチ
２５    連結平板
３０    水平枠体
３１    横枠体
３２    横板
４０    中央枠体
４１    縦枠体
４２    上部縦枠体
５１    入口開口部
５２    窓枠体
６０    側面板
６１    扉
６２    窓
６３    中央窓
７０    係止部材
７３    傾斜面
【図１】
0003234196.tif 000003
【図２】
0003234196.tif 000004
【図３】
0003234196.tif 000005
【図４】
0003234196.tif 000006
【図５】
0003234196.tif 000007
【図６】
0003234196.tif 000008
【図７Ａ】
0003234196.tif 000009
【図７Ｂ】
0003234196.tif 000010
【図７Ｃ】
0003234196.tif 000011
【図７Ｄ】
0003234196.tif 000012
【図８】
0003234196.tif 000013
【図９】
0003234196.tif 000014
【図１０】
0003234196.tif 000015
【図１１】
0003234196.tif 000016